【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】
第１及び第２のプロトコルの下でネットワーク・アドレスを割り当てる、コンピュータによって実現される方法であって、
前記第１及び第２のプロトコルに対する入手可能なネットワーク・アドレスの共通のネットワーク・アドレス・プールを、ディレクトリ・サービスの一部として維持するステップと、
前記ディレクトリ・サービスを第１のプロトコルに基づく機構と第２のプロトコルに基づく機構とに通信可能な態様でリンクするステップと、
前記第１のプロトコルと前記第２のプロトコルとの少なくとも一方による前記第１のプロトコルに基づく機構と前記第２のプロトコルに基づく機構との一方からのメッセージに応答して、前記ディレクトリ・サービスに、前記入手可能なネットワーク・アドレスからの割り当てられたネットワーク・アドレスを、前記共通のネットワーク・アドレス・プールに記録させるステップと、
を含むことを特徴とする方法。
【請求項２】
請求項１記載の方法において、前記応答するステップは、
クライアントからの割り当て要求に応答して前記ネットワーク・アドレスの１つの割り当てを開始するステップを含むことを特徴とする方法。
【請求項３】
請求項２記載の方法において、前記開始するステップは、
ＬＤＡＰメッセージをプロトコル・フロント・エンドから前記ディレクトリ・サービスに送るステップを含むことを特徴とする方法。
【請求項４】
請求項２記載の方法において、
割り当てられたネットワーク・アドレスを前記クライアントに返却するステップを更に含むことを特徴とする方法。
【請求項５】
請求項１記載の方法において、
前記ディレクトリ・サービスが、前記ネットワーク・アドレスの中の入手可能なものを前記ディレクトリ・サービスのディレクトリから検索するステップを更に含むことを特徴とする方法。
【請求項６】
請求項５記載の方法において、
前記ディレクトリ・サービスが、あるユーザに割り当てられた前記ネットワーク・アドレスを前記ディレクトリの中のあるエントリに記憶するステップを更に含むことを特徴とする方法。
【請求項７】
請求項１記載の方法において、前記ディレクトリ・サービスは、ライトウェイト・ディレクトリ・アクセス・プロトコル（ＬＤＡＰ）の下でのＩＳＯ／ＣＣＩＴＴ  Ｘ．５００ベースのディレクトリ・サービスであることを特徴とする方法。
【請求項８】
請求項１記載の方法において、前記ネットワーク・アドレスはＩＰアドレスであることを特徴とする方法。
【請求項９】
請求項１記載の方法において、前記第１及び第２のプロトコルは、相互に交換可能に、ＤＨＣＰとＲＡＤＩＵＳとであることを特徴とする方法。
【請求項１０】
ＲＡＤＩＵＳとＤＨＣＰとの下でＩＰアドレスを割り当てる、コンピュータによって実現される方法であって、
ａ）クライアントからのＩＰアドレスに対する要求を、前記ＲＡＤＩＵＳと前記ＤＨＣＰとの少なくとも一方を介して受け取るステップと、
ｂ）前記要求を未使用のＩＰアドレスに対する単一のディレクトリ・サービスに送るステップと、
ｃ）前記クライアントに割り当てられた前記未使用のＩＰアドレスを含む応答を前記クライアントに返すステップと、
ｄ）前記割り当てられたＩＰアドレスとホストネーム／クライアントとの拘束に対するディレクトリ・サービスを更新するステップと、
を含むことを特徴とする方法。
【請求項１１】
請求項１０記載の方法において、
ｅ）ＲＡＤＩＵＳに対するユーザ・ログオフに関する会計情報を用いて、前記ＩＰアドレスの割り当てを解除する事後的なステップを含むことを特徴とする方法。
【請求項１２】
請求項１０記載の方法において、
ｅ）ＤＨＣＰに対するリース期間終了を用いて、前記ＩＰアドレスの割り当てを解除する事後的なステップを含むことを特徴とする方法。
【請求項１３】
第１及び第２のプロトコルの下でネットワーク・アドレスの割り当てを提供するように動作可能なディレクトリ・サーバであって、ディレクトリ・サービス・コントローラを備えており、前記ディレクトリ・サービス・コントローラは、
前記ディレクトリ・サービス・コントローラのディレクトリの中に共通のネットワーク・アドレス・プールを維持し、
前記第１及び第２のプロトコルの少なくとも一方に対するプロトコル・フロント・エンドからのメッセージに応答してネットワーク・アドレス割り当てを前記ディレクトリに記録することを特徴とするディレクトリ・サーバ。
【請求項１４】
請求項１３記載の方法において、前記ディレクトリ・サービス・コントローラは、更に、ネットワーク・アドレスの割り当てに対する要求に応答して前記ネットワーク・アドレスを割り当て返却するように動作することを特徴とするディレクトリ・サーバ。
【請求項１５】
第１及び第２のプロトコルの下でのネットワーク・アドレス割り当てのためのネットワーク・アドレス割り当て機構であって、
前記第１及び第２のプロトコルに対して利用可能なネットワーク・アドレスの共通のネットワーク・アドレス・プールを維持するように動作可能であるように構成されたディレクトリ・サービス・コントローラと、
前記第１及び第２のプロトコルの少なくとも一方に応答し前記ネットワーク・アドレス割り当ての記録を開始するように動作可能であるように構成されたプロトコル・フロント・エンドと、
を備えていることを特徴とする機構。
【請求項１６】
請求項１５記載の機構において、前記プロトコル・フロント・エンドは、更に、クライアントからの割り当て要求に応答して前記ネットワーク・アドレスの割り当てを開始するように動作可能であるように構成されていることを特徴とする機構。
【請求項１７】
請求項１６記載の機構において、前記プロトコル・フロント・エンドは、更に、ＬＤＡＰメッセージを前記ディレクトリ・サービスに送るように動作可能であるように構成されていることを特徴とする機構。
【請求項１８】
請求項１６記載の機構において、前記プロトコル・フロント・エンドは、更に、割り当てられたネットワーク・アドレスを前記クライアントに返却するように動作可能なように構成されていることを特徴とする機構。
【請求項１９】
請求項１５記載の機構において、前記ディレクトリ・サービスは、更に、前記ディレクトリ・サービスのディレクトリから、前記ネットワーク・アドレスの中の利用可能なものを検索するように構成されていることを特徴とする機構。
【請求項２０】
請求項１９記載の機構において、前記ディレクトリ・サービスは、オブジェクト・ベースのディレクトリを備えており、更に、ユーザに割り当てられた前記ネットワーク・アドレスを前記ディレクトリの中の前記ユーザのためのエントリにおいて記憶するように動作可能であるように構成されていることを特徴とする機構。
【請求項２１】
請求項１５記載の機構において、前記ディレクトリ・サービスは、 ライトウェイト・ディレクトリ・アクセス・プロトコル（ＬＤＡＰ）の下にあるＩＳＯ／ＣＣＩＴＴ  Ｘ．５００ベースのディレクトリ・サービスであることを特徴とする機構。
【請求項２２】
請求項１５記載の機構において、前記ネットワーク・アドレスはＩＰアドレスであることを特徴とする機構。
【請求項２３】
請求項１５記載の機構において、前記第１及び第２のプロトコルは、相互に交換可能に、ＤＨＣＰとＲＡＤＩＵＳであることを特徴とする機構。
【請求項２４】
第１及び第２のプロトコルの下でのネットワーク・アドレス割り当てのためのネットワーク・アドレス割り当て機構であって、
共通のネットワーク・アドレス・プールを維持する手段と、
前記第１及び第２のプロトコルの少なくとも一方の下でメッセージに応答してネットワーク・アドレス割り当てを記録する手段と、
を備えていることを特徴とする機構。
【請求項２５】
請求項２４記載の機構において、ネットワーク・アドレスをユーザに割り当てる手段を更に備えていることを特徴とする機構。
【請求項２６】
キャリア媒体上のコンピュータ・プログラム・プロダクトであって、前記コンピュータ・プログラム・プロダクトは、第１及び第２のプロトコルの下でネットワーク・アドレス割り当てのための機構を形成し、前記機構は、共通のネットワーク・アドレス・プールを定義し、前記第１及び第２のプロトコルの少なくとも一方の下でメッセージに応答しネットワーク・アドレス割り当てを記録するように動作可能であるように構成されていることを特徴とするキャリア媒体上のコンピュータ・プログラム・プロダクト。
【請求項２７】
請求項２６記載のキャリア媒体上のコンピュータ・プログラム・プロダクトにおいて、前記機構は、更に、前記第１及び第２のプロトコルの少なくとも一方の下でのネットワーク・アドレスの割り当てに対する要求に応答し、前記ネットワーク・アドレスの１つを割り当て返却するように動作可能であることを特徴とするキャリア媒体上のコンピュータ・プログラム・プロダクト。
【請求項２８】
ネットワーク・アドレスを割り当てる、コンピュータによって実現される方法であって、
ＤＨＣＰプロトコルとＲＡＤＩＵＳプロトコルとに対する入手可能なネットワーク・アドレスの共通のネットワーク・アドレス・プールを維持するステップと、
前記共通のネットワーク・アドレス・プールをＤＨＣＰベースの機構とＲＡＤＩＵＳベースの機構とに通信可能な態様でリンクするステップと、
入手可能なネットワーク・アドレスの前記プールからの割り当てられたネットワーク・アドレスを記録し、前記割り当てられたネットワーク・アドレスを含むメッセージを送る装置に応答を返すことによって、ＤＨＣＰプロトコルとＲＡＤＩＵＳプロトコルとの少なくとも一方による機構の一方からのメッセージに応答するステップと、
を含むことを特徴とする方法。